(57)【要約】【課題】  検眼装置によって検眼される眼に対する開瞼を容易かつ適正に行う。【解決手段】  被検眼の測定や検査を行う検眼装置（例えば、眼底カメラや非接触式眼圧計等）に用いられる検眼用開瞼具において、リム部を持ち眼鏡フレーム形状を有する検眼用開瞼具であって、被検眼の上瞼もしくは下瞼の少なくともいずれかに当接させる当接部と該当接部を被検眼の開瞼方向に移動させる移動部とを持ち，被験者の瞼を開瞼するために前記リム部に取り付けられる開瞼機構を備える。【選択図】      図１
2009011383.tif 000002
【特許請求の範囲】
【請求項１】
リム部を持ち眼鏡フレーム形状を有する検眼用開瞼具であって、
被検眼の上瞼もしくは下瞼の少なくともいずれかに当接させる当接部と該当接部を被検眼の開瞼方向に移動させる移動部とを持ち，被験者の瞼を開瞼するために前記リム部に取り付けられる開瞼機構を備えることを特徴とする検眼用開瞼具。
【請求項２】
請求項１の検眼用開瞼具において、前記開瞼機構は前記移動部を被検眼側に押し出すための操作部材を持ち、前記移動部は前記当接部を上下方向に回動可能に連結していることを特徴とする検眼用開瞼具。
【請求項３】
請求項１の検眼用開瞼具は、つる部と、該つる部の長さを変更するための変更手段を有することを特徴とする検眼用開瞼具。
【請求項４】
請求項１の検眼用開瞼具において、前記リム部は、被検眼の前方及び周囲を覆い外光から遮光するためのゴーグル部を備えることを特徴とする検眼用開瞼具。
【請求項５】
請求項１の検眼用開瞼具において、前記リム部は、左右一対に設けられ、一方に前記開瞼機構、他方に遮光部を備えることを特徴とする検眼用開瞼具。
【発明の詳細な説明】
【技術分野】
【０００１】
本発明は、被検眼の測定又は検査を行う検眼装置に用いられる検眼用開瞼具に関する。
【背景技術】
【０００２】
被検眼の測定又は検査を行う検眼装置（例えば、眼底カメラや非接触式眼圧計等）において、被検眼の開瞼が不十分な場合、従来、検者もしくは被験者が直接指で開いていた。
【０００３】
また、開瞼機構を備えた検眼装置として、検眼光学系等が内蔵された装置本体（例えば、検査窓付近）に開瞼機構が装着されたものが開示されている（特許文献１参照）。この装置の場合、検者が被検眼に対して装置本体を接近させたときに、開瞼機構が被検眼に押し当てられることにより、開瞼動作が行われるような構成となっている。
【特許文献１】特開昭５２−１４０９１号公報
【発明の開示】
【発明が解決しようとする課題】
【０００４】
しかしながら、直接指で瞼を開く場合、被験者によってはうまく開瞼できない場合がある（特に、高齢者の場合）。また、上記のように装置本体に開瞼機構が装着された構成の場合、開瞼動作が装置本体の移動に連動された構成であるため、装置本体の移動中に被験者の顔に開瞼機構が不意に接触してしまう可能性がある。また、開瞼機構の存在によって、被検眼に対する装置本体の微妙なアライメントがしづらくなる可能性がある。
【０００５】
本発明は、上記問題点を鑑み、検眼装置によって検眼される眼に対する開瞼を容易かつ適正に行うことができる検眼用開瞼具を提供することを技術課題とする。
【課題を解決するための手段】
【０００６】
上記課題を解決するために、本発明は以下のような構成を備えることを特徴とする。
【０００７】
（１）  リム部を持ち眼鏡フレーム形状を有する検眼用開瞼具であって、
被検眼の上瞼もしくは下瞼の少なくともいずれかに当接させる当接部と該当接部を被検眼の開瞼方向に移動させる移動部とを持ち，被験者の瞼を開瞼するために前記リム部に取り付けられる開瞼機構を備えることを特徴とする。
（２）  （１）の検眼用開瞼具において、前記開瞼機構は前記移動部を被検眼側に押し出すための操作部材を持ち、前記移動部は前記当接部を上下方向に回動可能に連結していることを特徴とする。
（３）  （１）の検眼用開瞼具は、つる部と、該つる部の長さを変更するための変更手段を有することを特徴とする。
（４）  （１）の検眼用開瞼具において、前記リム部は、被検眼の前方及び周囲を覆い外光から遮光するためのゴーグル部を備えることを特徴とする。
（５）  （１）の検眼用開瞼具において、前記リム部は、左右一対に設けられ、一方に前記開瞼機構、他方に遮光部を備えることを特徴とする。
【発明の効果】
【０００８】
本発明によれば、検眼装置によって検眼される眼に対する開瞼を容易かつ適正に行うことができる。
【発明を実施するための最良の形態】
【０００９】
本発明の実施形態を図面に基づいて説明する。図１は、本実施形態に係る検眼用開瞼具の外観構成図であり、図１（ａ）が正面図、図１（ｂ）が右側面図、図１（ｃ）が左側面図である。
【００１０】
１は被検眼の測定や検査を行う検眼装置（例えば、眼底カメラや非接触式眼圧計等）に用いられる検眼用開瞼具であり、リム部とつる部を持ち眼鏡フレーム形状を有する。１０は被験者の顔に装着される眼鏡フレーム形状の保持フレームであり、３０は被験者の瞼を開瞼するための開瞼機構である。保持フレーム１０は、開瞼機構３０が被検眼の眼前に位置されるように開瞼機構３０を保持する。４０は被検眼の開瞼を行うために検者もしくは被験者によって操作される操作部材（操作レバー）である。なお、図示無き検眼装置は、通常、被験者に対面するように配置される。そして、検眼装置に設けられた検眼光学系から被検眼に向けて検眼光束が発せられ、その反射光に基づいて被検眼の検査又は測定が行われる。
【００１１】
開瞼具１のより具体的な構成について、以下に説明する。保持フレーム１０は、眼鏡型のフレーム構造を有し、左右のリム部１１ａ及び１１ｂ、左右のつる（テンプル）１２ａ及び１２ｂ、ブリッジ１６、を含む。リム部１１ａ及び１１ｂは被検眼の前方及び周囲を覆い、外光から遮光（カバー）するためのゴーグル部１５ａ及び１５ｂが形成されている。なお、一方のリム部１１ａには、図示無き検眼装置から発せられる検眼光束を被検眼に導くための開口部が形成され、また、ゴーグル部１５ａの内部には、開瞼機構３０が内蔵されており、一方のリム部のみに開瞼機構が用意され、他方のリム部は遮蔽された状態となっている。また、ゴーグル部１５ａ及び１５ｂの縁部は、被験者の顔面に当接されるような形状を持つ。
【００１２】
また、つる１２ａの一端には、被験者の耳が掛けられる耳掛部（モダン）１３が形成されており、つる１２ｂの一端には、耳掛け部１４が形成されている。なお、本実施形態において、耳掛部１３及び耳掛部１４は、つる１２ａ及びつる１２ｂの端部が上下方向に関して２股に分岐する構造となっている。すなわち、耳掛部１３は、つる１２ａに対して上下方向にそれぞれ形成され、耳掛部１４はつる１２ｂに対して上下方向にそれぞれ形成されている。このような構成によって保持フレーム３０の天地を逆転した状態であっても保持フレーム３０（検眼用開瞼具１）を被験者の顔に装着することができる。このように天地を逆転させて使用するのは、片方のリム部にしか設けられていない開瞼機構１０を両眼ともに使用可能とさせるためである。また、左右のつる（テンプル）１２ａ及びつる１２ｂには、つるの長さを変更するための長さ調整機構５０がそれぞれ設けられており、左右のつる（テンプル）１２ａ及び１２ｂの長さが調整可能な構成となっている。
【００１３】
図２は本実施形態に係る開瞼機構３０を側方よりみたときの概略側方図である。図３は開瞼機構３０を正面よりみたときの概略正面図である。開瞼機構３０は、被検眼の上瞼（上瞼の上方周辺部分も含む）もしくは下瞼（下瞼の下方周辺部分も含む）の少なくともいずれかに当接させる当接部３１（３１ａ、３１ｂ）と，当接部３１を被検眼の開瞼方向に移動させる移動部３５と、を持ち、被検眼の瞼を開瞼するために保持フレーム１０のリム部に取り付けられる。また、開瞼機構３０は、移動部３５を被検眼側に押し出すための操作部材４０を持ち、移動部３５は当接部３１を上下方向に回動可能に連結している。
【００１４】
より具体的には、当接部３１は、上下一対の第１当接部材（開瞼部材）３１ａと第２当接部材（開瞼部材）３１ｂによって構成される。第１当接部材３１ａと第２当接部材３１ｂとからなる当接部３１は、その内側に測定光を通すための開口が形成され、上下に口が開くくちばしのような形状となる。ここで、第１当接部材（上部片）３１ａは被検眼側に向かうにつれて上方に反るような形状となっており、第２当接部材（下部片）３１ｂは被検眼側に向かうにつれて下方に反るような形状となっている。
【００１５】
なお、第１当接部材３１ａの左右基端は、回転ピン３３ａを介して連結部材３４の上端に連結されており、上下方向に回動可能となっている。また、第２当接部材３１ｂの左右基端は、回転ピン３３ｂを介して連結部材３４の下端に連結されており、第１当接部材３１ａと同様に上下方向に回動可能となっている。よって、当接部３１は、上下方向に関して開閉可能となる。なお、第１当接部材３１ａと第２当接部材３１ｂには、上下方向に延びる引張ばね３８が取り付けられており、当接部３１の開口が狭まる方向に常時付勢されているとともに、図示無き規制部材によって所定の開口径が維持できる程度に両当接部材３１ａ，３１ｂの接近が規制されている。
【００１６】
また、つる１２ａ側の連結部材３４には、外側に延びるレバー状の操作部材４０が連結されており、ゴーグル部１５ａに形成された水平方向に延びるスリット４１を介して操作部材４０の一端が外部に突出された状態となっている。また、鼻側の連結部材３４には、内側（鼻側）に延びるガイド棒４５が連結されており、ガイド棒４５の先端は、ゴーグル部１５ａに形成され水平方向に延びるガイド溝４６と嵌合されている。この場合、操作部材４０が被検眼方向に押し出されると、操作部材４０がスリット４１のスリット孔に沿って水平移動されると共に、当接部３１を介して操作部材４０と連結されるガイド棒４５がガイド溝４６に沿って水平方向に移動されるため、連結部材３４が被検眼側に水平方向に移動される。このため、左右一対の連結部材３４に支持される第１当接部材３１ａ及び第２当接部材３１ｂは、被検眼側に向けて水平方向に移動可能となる。すなわち、ゴーグル部１５ａに形成されたスリット４１及びガイド溝４６は、操作部材４０及びガイド棒４６を介して開瞼機構３０を水平方向に移動可能に支持する。
【００１７】
また、連結部材３４はゴーグル部１５ａ内側に摺動可能に取り付けられているとともに、連結部材３４の検眼装置側（被検眼と対面する方向）端部は、引張ばね３９を介してゴーグル部１５ａ内側に取り付けられている。このような構成により、連結部材３４は検眼装置側（被検眼と反対側）に常時付勢された状態となっている。
【００１８】
図４は、長さ調整機構５０の具体的構成について説明する概略断面図である。５１はリム部の一部に取り付けられる第１つる部である。５２は耳掛部と連結される第２つる部であり、第１つる部に形成された挿入孔に挿入された状態となっている。また、第１つる部５１の内側（挿入孔）には、凹凸部５１ａ及び凹凸部５１ｂが連続的に形成されている。また、第２つる部５２の基端部側には、凹凸部５１ａと弾力的に嵌合可能な嵌合部５５ａと、凹凸部５１ｂと弾力的に嵌合可能な嵌合部５５ｂが形成されている。ここで、第１つる部５１に対して第２つる部が長手方向に移動されるように所定以上の力が加えられると、嵌合部５５ａ及び嵌合部５５ｂが変形されるため、長さ調整が可能となる。そして、被験者に合った任意の長さに調整された後は、凹凸部５１ａ及び凹凸部５１ｂの何れかと、嵌合部５５ａ及び嵌合部５５ｂとが嵌合状態となるため、つる部の長さが所望される長さにて固定される。なお、長さ調整機構５０としては、上記構成に限るものではなく、締め付けネジを用い、ネジを緩めた際に第１つる部５１に対して第２つる部５２の位置を調整できるように、ネジを締めることにより第１つる部５１に対して第２つる部５２の位置を固定できるような構成としても良い。
【００１９】
以上のような構成を備える装置において、その動作について説明する。まず、検者は、眼鏡をかけるようにして保持フレーム１０を被験者の顔に装着するように被験者に指示する。この場合、検眼装置によって検査される被検眼の眼前に開瞼機構３０がくるように装着させる。
【００２０】
次に、検者は、検眼装置に設けられた顔支持ユニットに被験者の顔を固定させた後、検眼装置に設けられた検眼光学系の光軸と被検眼との位置関係をジョイスティックを用いて調整する。このようにしてラフな位置合わせが完了された後、被験者の瞼の開き具合が確認され、開き具合が不十分な場合、検者は、操作部材４０を後方（耳側）に移動させるように被験者に指示する。この場合、検者が操作部材４０を移動させてもよい。
【００２１】
ここで、検者又は被験者によって操作部材４０を操作すると、操作部材４０がスリット４１に沿って水平移動するとともに、ガイド棒４５がガイド溝４６によって水平移動する。このとき、連結部材３４が当接部材３１とともに引張ばね３９の弾性力（付勢力）に抗じて被検眼に向って移動することとなる。そして、第１当接部材３１ａの先端が被験者の上瞼に、第２当接部材３１ｂの先端が被験者の下瞼に接触した状態となる。この状態でさらに操作部材４０を移動させて当接部３１を被検眼に押し付けるようにすると、第１当接部材３１ａの先端及び第２当接部材３１ｂの先端がそれぞれ上瞼と下瞼を押し広げるように移動することとなる。これにより、被験者に対する開瞼がなされる。
【００２２】
そして、検者は、開瞼動作の確認後、検眼装置に設けられた測定（検査）開始スイッチを押す。そして、トリガ信号に基づいて検眼装置から被検眼に向けて検眼光束が発せられ、装置による検眼動作が行われる。なお、操作部材４０にネジ止め機能を持たせることにより、開瞼を行った適当な位置で操作部材４０をネジ止めすることもできる。
【００２３】
以上のように、検者又は被験者からの操作部材４０に対する操作によって開瞼機構３０が動作し、当接部３１が被験者の開瞼方向に移動することによって被験者に対する開瞼動作がなされることにより、検眼装置を用いて被検眼の測定もしくは検査を行う際の開瞼作業を容易に行うことができる。また、被験者又は検者の意志により開瞼作業を行うことができるため、安全性が確保される。
【００２４】
なお、以上のような説明によれば、開瞼機構３０が左右眼のいずれかに配置されるようなものとしたが、被験者の両眼の眼前に同時に開瞼機構３０が配置されるように左右一対の開瞼機構３０を設けるような構成としてもよい。
【００２５】
なお、上記構成において、衛生面を考慮して、被験者毎に交換可能なカバー（例えば、抗菌ゴム）が当接部３１等に取付られるような構成としても良いし、開瞼部材３０が使い捨て可能な部材で形成されるような構成としてもよい。
【００２６】
なお、開瞼機構３０は、上記構成に限るものではなく、上部片と下部片が交叉されたＸ字形状の当接部を持ち、かつ、Ｘ字の交叉位置が回転ピンによって軸支された構成であって、上部片の下端と下部片の上端との間を狭くすることにより、当接部の被検眼側開口が開放方向に開くような構成であってもよい。また、ギア構造によって当接部の開放がなされるような開瞼機構３０であって、所定の回転ノブを回すことによってギアが作動されて当接部３０が開くようなものであってもよい。
【００２７】
また、リム部１１ａ及び１１ｂの耳側の端部をゴムバンドで連結させ、被験者の後頭部にゴムバンドを引掛けることにより、開瞼機構３０と被検眼の位置関係を安定させる構成であってもよい。この場合、ゴムバンドの長さを調整できるような構成を設けても良い。
【図面の簡単な説明】
【００２８】
【図１】本実施形態に係る検眼用開瞼具の外観構成図である。
【図２】本実施形態に係る開瞼機構３０を側方よりみたときの概略側方図である。
【図３】本実施形態に係る開瞼機構３０を正面よりみたときの概略正面図である。
【図４】つる部の長さ調整機構５０の具体的構成について説明する概略断面図である。
【符号の説明】
【００２９】
１  検眼用開瞼具
１１ａ、１１ｂ  リム部
１２ａ、１２ｂ  つる部
１５ａ、１５ｂ  ゴーグル部
３０  開瞼機構
３１  当接部
３５  移動部
４０  操作部材
５０  長さ調整機構
【図１】
2009011383.tif 000003
【図２】
2009011383.tif 000004
【図３】
2009011383.tif 000005
【図４】
2009011383.tif 000006